【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
記憶デバイスとコントローラとが装着される少なくとも１の筐体Ａと、
記憶デバイスと周辺装置とが装着される少なくとも１の筐体Ｂと、
前記筐体Ａの前記コントローラ、前記記憶デバイス、及び前記筐体Ｂの前記記憶デバイスを通信可能に接続する伝送路と、
を備える記憶装置の制御方法であって、
前記筐体Ａの前記記憶デバイスの稼働状態に応じて前記伝送路を通じた通信により前記筐体Ｂの前記記憶デバイスの稼働を制御し、
前記筐体Ｂの前記記憶デバイスの稼働状態に応じて前記伝送路を通じた通信により前記周辺装置を制御すること、
を特徴とする記憶装置の制御方法。
【請求項２】
請求項１に記載の記憶装置の制御方法において、
前記筐体Ａの前記記憶デバイスが稼働を停止した場合に、前記伝送路を通じた通信により前記筐体Ｂの前記記憶デバイスの稼働を制御し、
前記筐体Ｂの前記記憶デバイスの稼働状態に応じて、前記周辺装置を制御すること、
を特徴とする記憶装置の制御方法。
【請求項３】
請求項１に記載の記憶装置の制御方法において、
前記周辺装置は、前記筐体Ｂ内の熱を筐体の外に排出する冷却装置であること
を特徴とする記憶装置の制御方法。
【請求項４】
請求項３に記載の記憶装置の制御方法において、
前記冷却装置は、空冷式の冷却ファンであること
を特徴とする記憶装置の制御方法。
【請求項５】
請求項４に記載の記憶装置の制御方法において、
前記筐体Ａの前記記憶デバイスが稼働を停止した場合に前記筐体Ｂの前記記憶デバイスの稼働を制御し、
前記筐体Ｂの前記記憶デバイスの稼働状況に応じて前記冷却ファンの回転数を制御すること、
を特徴とする記憶装置の制御方法。
【請求項６】
請求項４に記載の記憶装置の制御方法において、
前記筐体Ｂが複数の前記冷却ファンを有し、
前記筐体Ａの前記記憶デバイスが稼働を停止したのに応じて前記筐体Ｂの前記記憶デバイスの稼働を制御し、
前記筐体Ｂの前記記憶デバイスの稼働状態に応じて前記冷却ファンの稼働台数を制御すること、
を特徴とする記憶装置の制御方法。
【請求項７】
請求項１に記載の記憶装置の制御方法において、
前記筐体Ｂは複数の前記記憶デバイスを備え、
筐体Ａの前記記憶デバイスの稼働状態に応じて筐体Ｂの前記記憶デバイスの稼働を制御し、
前記筐体Ｂの前記記憶デバイスの夫々の稼働状態に応じて前記周辺装置の稼働を制御すること、
を特徴とする記憶装置の制御方法。
【請求項８】
請求項１〜７のいずれかの記憶装置の制御方法において、
前記記憶デバイスは、ディスクドライブであること
を特徴とする記憶装置の制御方法。
【請求項９】
記憶デバイスとコントローラとが装着される少なくとも１の筐体Ａと、
記憶デバイスと周辺装置とが装着される少なくとも１の筐体Ｂと、
前記筐体Ａの前記コントローラ及び前記記憶デバイスと前記筐体Ｂの前記記憶デバイスとを通信可能に接続する伝送路と、
前記伝送路を通じた通信により前記筐体Ａの前記記憶デバイスの稼働状態に応じて前記筐体Ｂの前記記憶デバイスの稼働を制御する機能と、
前記筐体Ｂの前記記憶デバイスの稼働状態に応じて前記周辺装置の稼働を制御する機能と、
を有すること
を特徴とする記憶装置。
【請求項１０】
メインスイッチと、
１台以上の第１のディスクドライブ、及び前記第１のディスクドライブの状態監視を行うコントローラが装着された基本筐体と、
１台以上の第２のディスクドライブ、前記第２のディスクドライブの状態監視を行うサブコントローラ、及び前記サブコントローラによって制御される冷却ファンが装着された１つ以上の増設筐体と、
前記コントローラ、前記第１のディスクドライブ、及び前記第２のディスクドライブを通信可能に接続するＦＣ−ＡＬループと、
を含んで構成される記憶装置の制御方法であって、
前記コントローラが、前記メインスイッチがオフされたのに応じて前記第１のディスクドライブ及び前記第２のディスクドライブに対して電源をオフする旨のコマンドを送信するステップと、
前記コントローラが、ある前記増設筐体の前記第２のディスクドライブの電源がオフされたのに応じて当該増設筐体の前記冷却ファンの回転数を低下させる旨のコマンドを前記サブコントローラに送信するステップと、
前記サブコントローラが、前記コマンドを受信したのに応じて前記冷却ファンの回転数を低下させるステップと、
を有すること
を特徴とする記憶装置の制御方法。
【請求項１１】
メインスイッチと、
１台以上の第１のディスクドライブ、及び前記第１のディスクドライブの状態監視を行うコントローラが装着された基本筐体と、
１台以上の第２のディスクドライブ、前記第２のディスクドライブの状態監視を行うサブコントローラ、及び前記サブコントローラによって制御される冷却ファンが装着された１つ以上の増設筐体と、
前記コントローラ、前記第１のディスクドライブ、及び前記第２のディスクドライブを通信可能に接続するＦＣ−ＡＬループと、
を含んで構成される記憶装置の制御方法であって、
前記コントローラが、前記メインスイッチがオンされたのに応じて前記第１のディスクドライブへの電力供給を開始するステップと、
前記コントローラが、前記冷却ファンの回転数を上昇させる旨のコマンドを前記ＦＣ−ＡＬループを通じて前記サブコントローラに送信するステップと、
前記サブコントローラが、前記コマンドを受信したのに応じて前記冷却ファンの回転数を上昇させるステップと、
を有すること
を特徴とする記憶装置の制御方法。
【請求項１２】
メインスイッチと、
１台以上の第１のメインディスクドライブ、１台以上の第１のサブディスクドライブ、及び前記第１のメインディスクドライブと前記第１のサブディスクドライブの状態監視を行うコントローラが装着された基本筐体と、
１台以上の第２のメインディスクドライブ、１台以上の第２のサブディスクドライブ、前記第２のサブディスクドライブと前記第２のサブディスクドライブの状態監視を行うサブコントローラ、及び前記サブコントローラによって制御される冷却ファンが装着された１つ以上の増設筐体と、
前記コントローラ、前記第１のメインディスクドライブ、前記第１のサブディスクドライブ、前記第２のメインディスクドライブ、及び前記第２のサブディスクドライブを通信可能に接続するＦＣ−ＡＬループと、
を含んで構成される記憶装置の制御方法であって、
前記コントローラが、前記メインスイッチがオフされたのに応じて「電源OFF」の動作状態に移行する旨のコマンドを前記ＦＣ−ＡＬループを通じて前記第１のサブディスクドライブ及び前記第２のサブディスクドライブに送信するステップと、
前記コントローラが、ある前記増設筐体の前記第２のサブディスクドライブが「電源OFF」の動作状態に移行したのに応じてその増設筐体の前記冷却ファンの回転数を低下させる旨のコマンドを前記ＦＣ−ＡＬループを通じて前記サブコントローラに送信するステップと、
前記サブコントローラが、前記コマンドを受信したのに応じて前記冷却ファンの回転数を低下させるステップと、
前記コントローラが、前記第１のメインディスクドライブに「Not Ready」の動作状態に移行する旨のコマンドを前記ＦＣ−ＡＬループを通じて送信するステップと
を有すること
を特徴とする記憶装置の制御方法。
【請求項１３】
メインスイッチと、
１台以上の第１のメインディスクドライブ、１台以上の第１のサブディスクドライブ、及び前記第１のメインディスクドライブと前記第１のサブディスクドライブの状態監視を行うコントローラが装着された基本筐体と、
１台以上の第２のメインディスクドライブ、１台以上の第２のサブディスクドライブ、前記第２のサブディスクドライブと前記第２のサブディスクドライブの状態監視を行うサブコントローラ、及び前記サブコントローラによって制御される冷却ファンが装着された１つ以上の増設筐体と、
前記コントローラ、前記第１のメインディスクドライブ、前記第１のサブディスクドライブ、前記第２のメインディスクドライブ、及び前記第２のサブディスクドライブを通信可能に接続するＦＣ−ＡＬループと、
を含んで構成される記憶装置の制御方法であって、
前記コントローラが、前記メインスイッチがオンされたのに応じて前記第１のメインディスクドライブへの電力供給を開始するステップと、
前記コントローラが、「Ready」の動作状態に移行する旨のコマンドを前記ＦＣ−ＡＬループを通じて前記第１のメインディスクドライブ及び前記第２のメインディスクドライブに送信するステップと、
前記コントローラが、前記冷却ファンの回転数を上昇させる旨のコマンドを前記サブコントローラに送信するステップと、
前記サブコントローラが、前記コマンドを受信したのに応じて前記冷却ファンの回転数を上昇させるステップと、
前記コントローラが、前記第２のサブディスクドライブへの電源供給を開始する旨のコマンドを前記ＦＣ−ＡＬループを通じて前記サブコントローラに送信するステップと、
前記コントローラが、「Ready」の動作状態に移行する旨を指示するコマンドを前記ＦＣ−ＡＬループを通じて前記第２のサブディスクドライブに送信するステップと
を有すること
を特徴とする記憶装置の制御方法。